(57)【要約】【課題】液剤がその中を流れる流路の長さ及び断面積の変化によって、該液剤の流量を厳密に調節できる、液剤用注入容量調節装置を提供する。【解決手段】該装置は、該液剤が入っているパックの下端部及びニードルに密封して接続されたホースに備え付けられる。該装置は、ディスク状固定部材と、ディスク状調節部材と、流路凹部密封部材と、流出穴密封部材と、締付け部材とを備える。該固定部材は、該ホースを介して該パックから該液剤が供給される、該ホースに接続されたインレットと、該液剤を該調節装置の流路凹部に供給する、該インレットに接続された流入穴と、該調節部材の液剤供給溝から該液剤が供給される流出穴と、該液剤を該ニードルへ供給できるようにするために、該液剤を該ホースに放出するように、該流出穴に接続されたアウトレットと、該締付け部材に備え付けられる挿入穴とを備える。【選択図】図１
2008506449.tif 000002
【特許請求の範囲】
【請求項１】
液剤が入っているパックの下端部及びニードルに密封して接続されたホースに備え付けられる液剤用注入容量調節装置であって、
前記ホースを介して前記パックから前記液剤が供給されるように前記ホースに接続されたインレットと、前記液剤を調節部材の流路凹部に供給するように前記インレットに接続された流入穴と、前記調節部材の液剤供給溝から前記液剤が供給される流出穴と、前記液剤を前記ニードルへ供給できるように、前記ホースに前記液剤を放出するように前記流出穴に接続されたアウトレットと、締付け部材を備える挿入穴とを備えるディスク状固定部材であって、
前記調節部材が、ディスク形状を有し、および円弧形状を有し、かつ前記流入穴から前記液剤が供給されるように前記流入穴に接続されている前記流路凹部と、前記流路凹部の一端部に形成され、かつ前記流出穴に接続された前記液剤供給溝と、前記締付け部材を備える挿入穴とを備える、前記ディスク状固定部材と、
前記流路凹部を密封すると共に、前記流入穴と前記流路凹部とを連通させる流路凹部密封部材、および前記流出穴を密封する流出穴密封部材と、
前記固定部材及び前記調節部材の前記挿入穴を通って、前記固定部材を前記調節部材に対して締め付ける締付け部材と、
を備え、前記調節部材がさらに、前記流路凹部の中心角よりも大きい中心角を有し、かつ前記流路凹部から所定距離離れている１つ以上の凹部内突起を備える、装置。
【請求項２】
ハンドルを片手で握ることができるように、前記固定部材の下方部分に取外し可能に備え付けられた前記ハンドルをさらに備える、請求項１に記載の装置。
【請求項３】
液剤が入っているパックの下端部及びニードルに密封して接続されたホースに備え付けられる液剤用注入容量調節装置であって、
前記ホースを介して前記パックから前記液剤が供給されるように前記ホースに接続されたインレットと、前記液剤を調節部材の流路凹部に供給するように前記インレットに接続された流入穴と、前記調節部材の液剤供給溝から前記液剤が供給される流出穴と、前記液剤を前記ニードルへ供給できるように、前記ホースに前記液剤を放出するように前記流出穴に接続されたアウトレットと、第１の締付け部材とを備える第１の固定部材であって、
前記調節部材が、ディスク形状を有し、および円弧形状を有し、かつ前記流入穴から前記液剤が供給されるように前記流入穴に接続されている前記流路凹部と、前記流路凹部の一端部に形成され、かつ前記流出穴に接続された前記液剤供給溝と、前記締付け部材を備える挿入穴とを備える、前記第１の固定部材と、
前記流路凹部を密封し、かつ前記流入穴と前記流路凹部とを接続するスルーホールを有する流路凹部密封部材、および前記流出穴を密封する流出穴密封部材と、
前記第１の締付け部材に対して締め付けられる前記調節部材の前記挿入穴を通る第２の締付け部材を有する第２の固定部材と、
を備え、前記第１及び第２の固定部材が、片手で握られると共に、前記調節部材の一部を細長いケーシングを介して露出させることができるように前記細長いケーシングを構成するように、互いに締め付けられており、
前記調節部材がさらに、前記流路凹部の中心角よりも大きい中心角を有し、かつ前記流路凹部から所定距離離れている１つ以上の凹部内突起を備える、装置。
【請求項４】
前期流路凹部が、前記液剤供給溝から離れる方向に徐々に小さくなる断面積を有する、請求項１〜請求項３のいずれか一項に記載の装置。
【請求項５】
前記調節部材がさらに、前記流出穴密封部材を圧迫する流出穴密封部材突起を備える、請求項１〜請求項３のいずれか一項に記載の装置。
【請求項６】
前記流路凹部密封部材がいくつかの突起を備え、前記固定部材または前記第１の固定部材が、その上に前記突起が位置する箇所を備える、請求項１〜請求項３のいずれか一項に記載の装置。
【請求項７】
前記調節部材が、前記固定部材の外周面に形成されたストッパと、前記調節部材の外周面に形成されたラッチングピースとによって規定される範囲内で回転される、請求項１または請求項２に記載の装置。
【請求項８】
前記締付け部材がさらに、その上にフックが形成された雄型締付け部材と、前記フックを収容するフック収容穴を有する雌型締付け部材と、前記フックがそこを通って挿入されるフック挿入穴とを備る、請求項１〜請求項３のいずれか一項に記載の装置。
【請求項９】
前記締付け部材がさらに、前記雄型締付け部材及び前記雌型締付け部材の中心を通り、かつ前記フック内に挿入されると共に、前記雄型締付け部材を前記雌型締付け部材に対して締め付ける固定ピンを備る、請求項８に記載の装置。
【請求項１０】
前記調節部材を所定の位置に固定する固定機構をさらに備える、請求項１〜請求項３のいずれか一項に記載の装置。
【請求項１１】
前記固定機構が、前記調節部材に向けて前記固定部材上に形成された円筒形スプラインと、前記スプラインに係合して、前記調節部材の回転を制限する、前記調節部材の側面に形成された固定ボルト穴を通る固定ボルトとを備える、請求項１０に記載の装置。
【請求項１２】
前記固定機構が、前記調節部材の締付け部材に対向する面から突出するリング状スプラインと、前記スプラインに係合して、前記調節部材の回転を制限する、前記雌型締付け部材に形成された固定ボルト穴を通る固定ボルトとを備える、請求項１０に記載の装置。
【請求項１３】
前記固定ボルト穴が、その上に形成されたねじ山を有し、また、前記固定ボルトが、前記固定ボルト穴に係合する鋭い端部及びねじ山を有するねじと、レンチを挿入して回転できるようになっているレンチ溝がその上に形成されたヘッドとを備える、請求項１１または請求項１２に記載の装置。
【請求項１４】
前記固定機構がさらに、前記固定ボルト穴の周りに備え付けられ、かつ前記スプラインに係合し、または前記スプラインから外れるように、前記固定ボルトの端部に接触する突起を有するばねを備え、前記固定ボルト穴が、その上に形成されたねじ山を有し、また、前記固定ボルトが、前記固定ボルト穴に係合する平坦部及びねじ山を有するねじと、レンチを挿入して回転できるようになっているレンチ溝がその上に形成されたヘッドとを備える、請求項１１または請求項１２に記載の装置。
【発明の詳細な説明】
【技術分野】
【０００１】
本発明は、液剤用注入容量調節装置に関し、より具体的には、シーリングのためのパッキングが流路に入り込むのを防ぐために、および該パッキングに対して強まる圧力により押し込まれるのを防ぐために、該液剤が流れる該流路の長さ及び断面積の変化によって、該液剤の流量を厳密に調節できるように、かつ片手で操作されるように設計された、液剤用注入容量調節装置に関する。
【背景技術】
【０００２】
一般に、患者は、腹及び腸の機能障害による消化不良を起こし、その結果、十分な栄養を食物だけでは確保できない。従って、必要な栄養、特にブドウ糖を該患者に与えるために、リンゲルパックに入っているリンゲル液が該患者の血管に注射される。
【０００３】
経口薬の場合、様々な製品が開発されており、それらの製品は、２４時間以上にわたって効果を維持できるが、注射可能な薬剤の場合には、２４時間、効果を維持するのが難しい。しかし、所定量以上の該注射可能な薬剤を、２４時間以上の間、一定の速度で継続的に投与できる場合には、該注射可能な薬剤は、副作用を伴うことなく、経口薬以上の持続的効果を実現することができることは周知である。
【０００４】
特に、幼児に対しては、液剤の投与量は、該幼児の患者の体重に比例して決まる（換言すれば、該液剤の注入量は、ｋｇ当りの該薬剤の注入量に該幼児の患者の体重を掛けることによって決まる）ため、該液剤の注入量の自由自在な調節によって、所定期間、該液剤を投与することができる装置を提供することが必要である。
【０００５】
また、幼児は、投与中に頻繁に動くため、該液剤が従来のクランプを用いて投与される場合には、該クランプが、該幼児の患者の動きにより緩くなり、該液剤を正確な量で注入することが困難になるという問題がある。
【０００６】
さらに、抗がん剤、抗生物質等の、注射用の特別な液剤を、危篤状態の患者に投与する場合、該液剤を、該危篤患者の状態に適した量で、一定速度で継続的に投与しなければならない。
【０００７】
適量の上記注入用の特別な液剤が、一定速度で該患者に継続的に投与されない場合には、アナフィラキシーショック等の副作用が生じる可能性が高い。
【０００８】
従って、液剤の一定速度での血管中への持続的注入を可能にする、液剤用注入容量調節装置を提供することが必要である。
【０００９】
従来のクランプは、約７０〜８０□／ｈｒの液剤が、それを介して投与されるように、該液剤の注入容量を調節することができる。該従来のクランプは、液剤が入っているパックの下端部及びニードルに密封して接続されているホースの外部に備えられており、該ホースを圧迫することにより、該ホースの断面積の変化を介して、該液剤の注入容量を調節する。
【００１０】
一般に、上記ホースは、テーパ状ガイドに沿って上下動することができ、また、典型的には、その外面に形成された小さな歯を有するローラを備える部材を調節することによって、圧迫される。該ガイドは、該ローラが、該ガイドの一方の端部に達したときに、該ローラが該ホースを圧迫し、また、該ローラが他方の端部に達したときには、該ローラが該ホースを完全に開くように、テーパ状になっている。
【００１１】
この構造によって、上記ニードル内を流れる上記液剤の注入容量は、該調節部材を該ガイドに沿って上下に回転させながら、該ホースの断面積を変化させることにより、調節される。しかし、従来のクランプの場合、該調節部材を過度に使用した場合、該調節部材が該ホースをきつく圧迫することができないため、および該ホースが、合成樹脂またはゴム材料から成っているため、該液剤の流速を厳密に調節することが非常に難しい。
【００１２】
従って、上記従来のクランプを用いた上記液剤の投与中に、該液剤の投与量の変化が、上述したような上記調節部材の変形により発生し、看護士が該液剤の投与量を頻繁に確認する必要がある。
【００１３】
しかし、上記従来のクランプは、低価格かつ単純な構造という利点を有するため、上記液剤が、高い精度を要することなく、短期間、患者に投与される場合には、よく使用される。
【００１４】
輸液ポンプは、当技術分野において、液剤の輸液量の正確な調節のための装置として公知であるが、該輸液ポンプは、非常に高価であり、輸液ポンプを用いるために重い費用負担をもたらす。加えて、該輸液ポンプに通常含まれている充電式電気デバイスは、該輸液ポンプの不良動作を引き起こす可能性があり、また、該輸液ポンプの大きな容積及び重さは、可搬性を妨げる。
【００１５】
しかし、小児科においては、正確な調節のための装置を使用する必要がある。
【００１６】
フローコントローラは、液剤の注入容量を正確に調節するためのディスポーザブルデバイスであり、幼児患者、高齢患者、医薬品副作用に苦しむ患者、抗がん剤注入を要する患者等のために用いることができる。該フローコントローラは安価であり、クランプ及び輸液ポンプと置き換えることができる。
【００１７】
上記フローコントローラは、一旦、セットした後は、２４時間以上、一定速度で、上記液剤の継続的投与を確実にし、また、輸液ポンプと比較して高価ではない。該フローコントローラは、可搬性が高く、ユーザの便宜をもたらし、また、注入を要する全ての患者に適用できる。加えて、該フローコントローラは、看護士の仕事量を減らし、安定性をもたらす。
【００１８】
上述したような様々なフローコントローラは、これまで開発されてきており、一般に、らせん状または円弧状の形状を有する。
【００１９】
しかし、従来のフローコントローラは、液剤の注入方向と直角の平面を画成する流路と、互いに対向すると共に、上部及び下部に平行に配置された２つのフラットディスクと、それぞれ該ディスクの中心に形成されたインレット及びアウトレットとを有する。
【００２０】
その結果、従来のフローコントローラを製造すること、および該フローコントローラを片手で操作することは、中に形成された２つ以上の流路等の複雑な構造により困難であり、製造コストが増加する。
【００２１】
この問題を解決するために、本発明の出願人は、２００１年１１月２９日に韓国工業所有権局に提出された、液剤用注入容量調節装置というタイトルの装置を発明した（特許文献１）。該装置は、調節部材と、固定部材と、ゴムパッキングと、締付け部材とを備える。該開示の発明は、該装置が、液剤の注入方向と平行な平面内に形成されている単一の流路を有することを特徴とする。該装置は、２つのフラットディスク、すなわち、互いに対向すると共に、右側及び左側に平行に配置されている該固定部材及び該調節部材と、該固定部材の上部及び下部に形成されたインレット及びアウトレットとを備える。
【００２２】
上記流路は、上記液剤が、上記固定部材の上記インレットに入り、上記調節部材に形成された該流路を通って流れた後、該固定部材の上記アウトレットを通って放出されるように、上記装置内に形成されている。該流路は、その角度が約３５０度である円弧形状を有し、また、テーパ状断面を有する。
【００２３】
しかし、上記開示の装置は、上記ゴムパッキングが上記流路を圧迫して、上記液剤の流れを妨げ、上記締付け部材が、該ゴムパッキングの復原力によって押されるという問題、および該ゴムパッキングが該装置内に固定されていないという問題を有する。
【００２４】
加えて、ユーザの操作効率を向上させるために、片手で容易に調節することができる液剤用注入容量調節装置を提供することが必要であるが、上述した問題を完全に解決する装置は、まだ開発されていない。
【特許文献１】韓国特許出願第１０−２００１−００７４８４５号
【発明の開示】
【発明が解決しようとする課題】
【００２５】
従って、本発明は、上記の問題に鑑みてなされたものであり、リンゲル液、または、液剤の注入容量の正確な調節を伴う注入のための特別な薬剤等の液剤の定量及び持続的な投与を可能にし、シーリングのためのパッキングを定位置に固定することができると共に、該パッキングが流路に入り込むのを防ぐことができる、液剤用注入容量調節装置を提供することが本発明の目的である。
【００２６】
本発明の別の目的は、片手で握られたボディと、該ボディが手に握られた状態で、親指によって回転されるように、該ボディに備えられた調節部材とを備え、その結果、該液剤の注入容量を片手で容易に調節することができる液剤用注入容量調節装置を提供することである。
【００２７】
本発明のまた別の目的は、液剤の注入容量を調節する際に、所定の注入容量の該液剤をどの位置でも容易に設定することができる、液剤用注入容量調節装置を提供することである。
【課題を解決するための手段】
【００２８】
本発明の態様によれば、上記の目的及び他の目的は、液剤用注入容量調節装置の提供によって達成され、該装置は、該液剤が入っているパックの下端部及びニードルに密封して接続されたホースに備え付けられ、該ホースを介して該パックから該液剤が供給されるように該ホースに接続されたインレットと、該液剤を調節部材の流路凹部に供給するように、該インレットに接続された流入穴と、該調節部材の液剤供給溝から該液剤が供給される流出穴と、該液剤を該ニードルへ供給できるように、該ホースに該液剤を排出するように該流出穴に接続されたアウトレットと、締付け部材を備える挿入穴とを備えるディスク状固定部材であって、該調節部材が、ディスク形状を有し、および円弧形状を有し、かつ該流入穴から該液剤が供給されるように該流入穴に接続されている該流路凹部と、該流路凹部の一端部に形成され、かつ該流出穴に接続された該液剤供給溝と、該締付け部材を備える挿入穴とを備える、該ディスク状固定部材と、該流路凹部を密封すると共に、該流入穴と該流路凹部とを連通させる流路凹部密封部材、および該流出穴を密封する流出穴密封部材と、該固定部材及び該調節部材の該挿入穴を通って、該固定部材を該調節部材に対して締め付ける締付け部材とを備える。
【００２９】
上記装置はさらに、ハンドルを片手で握ることができるように、上記固定部材の下方部分に取外し可能に備え付けられた該ハンドルを備えてもよい。
【００３０】
本発明の別の態様によれば、液剤が入っているパックの下端部及びニードルに気密に接続されたホースに備え付けられた液剤用注入容量調節装置は、該ホースを介して該パックから該液剤が供給されるように該ホースに接続されたインレットと、該液剤を調節部材の流路凹部に供給するように該インレットに接続された流入穴と、該調節部材の液剤供給溝から該液剤が供給される流出穴と、該液剤を該ニードルへ供給できるように、該ホースに該液剤を放出するように該流出穴に接続されたアウトレットと、第１の締付け部材とを備える第１の固定部材であって、該調節部材が、ディスク形状を有し、および円弧形状を有し、かつ該流入穴から該液剤が供給されるように該流入穴に接続されている該流路凹部と、該流路凹部の一端部に形成され、かつ該流出穴に接続された該液剤供給溝と、該締付け部材を備える挿入穴とを備える、該第１の固定部材と、該流路凹部を密封し、かつ該流入穴と該流路凹部とを接続するスルーホールを有する流路凹部密封部材、および該流出穴を密封する流出穴密封部材と、該第１の締付け部材に対して締め付けられる該調節部材の該挿入穴を通る第２の締付け部材を有する第２の固定部材とを備える。
【００３１】
上記第１及び第２の固定部材は、片手で握られると共に、上記調節部材の一部を細長いケーシングを介して露出させることができるように該細長いケーシングを構成するように互いに締め付けることができる。
【００３２】
上記流路凹部は、上記液剤供給溝から離れる方向に徐々に小さくなる断面積を有してもよい。
【００３３】
上記調節部材はさらに、上記流路凹部の中心角よりも大きい中心角を有し、かつ該流路凹部から所定距離離れている１つ以上の凹部内突起を備えてもよい。
【００３４】
上記調節部材はさらに、上記流出穴密封部材を圧迫する流出穴密封部材突起を備えてもよい。
【００３５】
上記流路凹部密封部材は、いくつかの突起を備えてもよく、また、上記固定部材または上記第１の固定部材は、その上に該突起が位置している箇所を備えてもよい。
【００３６】
上記調節部材は、上記固定部材の外周面に形成されたストッパと、該調節部材の外周面に形成されたラッチングピースとによって規定される所定の範囲内で回転することができる。
【００３７】
上記締付け部材はさらに、その上にフックが形成された雄型締付け部材と、該フックを収容するフック収容穴を有する雌型締付け部材と、該フックがそこを通って挿入されるフック挿入穴とを備えてもよい。
【００３８】
上記締付け部材はさらに、上記雄型締付け部材及び上記雌型締付け部材の中心を通り、かつ上記フック内に挿入されると共に、該雄型締付け部材を該雌型締付け部材に対して締め付ける固定ピンを備えてもよい。
【００３９】
上記装置はさらに、上記調節部材を所定の位置に固定する固定機構を備えてもよい。
【００４０】
上記固定機構は、上記調節部材に向けて上記固定部材上に形成された円筒形スプラインと、該スプラインに係合して、該調節部材の回転を制限する、該調節部材の側面に形成された固定ボルト穴を通る固定ボルトとを備えてもよい。
【００４１】
上記固定機構は、調節部材の雌型締付け部材に対向する面から突出するリング状スプラインと、該スプラインに係合して、該調節部材の回転を制限する、該雌型締付け部材に形成された固定ボルト穴を通る固定ボルトとを備えてもよい。
【００４２】
上記固定機構において、上記固定ボルト穴は、その上に形成されたねじ山を有してもよく、また、上記固定ボルトは、該固定ボルト穴に係合する鋭い端部及びねじ山を有するねじと、レンチを挿入して回転できるようになっているレンチ溝がその上に形成されたヘッドとを備えてもよい。
【００４３】
上記固定機構はさらに、上記固定ボルト穴の周りに備え付けられ、かつ上記スプラインに係合し、または該スプラインから外れるように、上記固定ボルトの端部に接触する突起を有するばねを備えてもよく、また、該固定ボルト穴は、その上に形成されたねじ山を有してもよく、該固定ボルトは、該固定ボルト穴に係合するようにその上に形成されたねじ山を有するねじと、該固定ボルトを回転させたときに、レンチを収容するように適応されたレンチ溝とを備えてもよく、該ねじは、平坦な端部を有する。
【発明の効果】
【００４４】
上記の説明から明らかなように、本発明は、流路の長さ及び幅に従って、リンゲル液や、注入用の特別な液剤等の液剤のための注入装置から供給される液剤用注入容量調節装置を実現でき、これにより、厳密に調節された量の該液剤を、該液剤の定量かつ持続的な投与を必要とする患者に所要量を投与でき、また、従来の液剤用注入容量調節装置における変形によりしばしば起きる、該液剤の過剰な投与を防ぐことができる。また、該注入容量調節装置は、注射器よりも低コストで製造することができる。
【００４５】
また、本発明は、ゴムパッキングが流路を圧迫して、上記液剤の流れを妨げ、締付け部材が、該ゴムパッキングの復原力によって押され、該ゴムパッキングが該装置に固定されない、該液剤用の従来の注入容量調節装置の問題を解決することができる。
【００４６】
本発明によれば、上記装置は、片手で容易に操作することができ、それにより、操作効率が高まる。
【００４７】
本発明によれば、上記装置は、所定位置での動きに制限された調節部材を有し、それによって、正確な量の液剤を患者に投与することができる。
【００４８】
具体的には、レンチ溝が、上記調節部材を所定位置に固定する固定機構の構成要素である固定ボルトのヘッドに形成されているため、該レンチ溝に合わないレンチを用いても、誰でも該調節部材を固定位置から解放することができる。
【００４９】
本発明の上記及び他の目的、特徴及び効果は、添付図面と共に解釈すれば、以下の詳細な説明によって、より明確に理解されるであろう。
【発明を実施するための最良の形態】
【００５０】
本発明の実施形態を、図面を参照して以下のように説明する。
【００５１】
図１は、本発明の第１の実施形態による注入容量調節装置を示す分解斜視図である。図1において該第１の実施形態の注入容量調節装置は、流路凹部密封部材１３及び流出穴密封部材１４がそこに固定される固定部材１２と、固定部材１２と接触される調節部材１５と、フック１１２がその上に形成された雄型締付け部材１１と、フック１１２がフック挿入管１６１に挿入されるように、フック挿入管１６１がその上に形成された雌型締付け部材１６と、それぞれ、固定部材１２及び調節部材１５を貫通して形成される挿入穴１２９及び１５７を介して雄型締め付け部材１１が雌型締付け部材１６に結合されると、フック１１２とフック挿入管１６１との間に形成される穴に挿入されて固定される固定ピン１７とを備える。
【００５２】
雄型締付け部材１１は、締付け部材ベース１１０と、固定片１１と、固定ピン収容穴１１３と、フック１１２とを備える。
【００５３】
締付け部材ベース１１０は、ディスク形状を有し、固定部材１２の裏面に嵌め込まれる。固定片１１１は、雄型締付け部材１１が回転するのを防ぐために、固定部材１２の裏面の突起に係止するように、締付け部材ベース１１０の一方の面に形成されている。
【００５４】
フック１１２は、締付け部材ベース１１０の中心に形成されている。該フックは、第１の実施形態において、２つの脚部を有するように図示されているが、該フックは、４つ以上の脚部を有してもよい。
【００５５】
固定ピン収容穴１１３は、締付け部材ベース１１０の中心に形成されており、フック１１２の中心と同軸である。
【００５６】
雌型締付け部材１６は、雄型締付け部材１１に対して締め付けられる。雌型締付け部材１６は、フック挿入管１６１に加えて、締付け部材ベース１６０及び固定ピン収容穴１６４を備える。フック挿入管１６１には、フック挿入穴１６２及びフック収容穴１６３が設けられている。
【００５７】
締付け部材ベース１６０は、ディスク形状を有し、調節部材１５の裏面に備え付けられる。
【００５８】
フック挿入管１６１は、締付け部材ベース１６０の中心に形成されており、固定ピン収容穴１６４は、フック挿入管１６１の中心と同軸になるように、締付け部材ベース１６０の中心に形成されている。
【００５９】
フック挿入管１６１は、フック１１２の２つの脚部を内側に狭めて該管を通って挿入できるようにするフック挿入穴１６２と、フック１１２の２つの脚部を、該フックがフック挿入管１６１内をさらに進行した際に広げて、該管内に収容できるようにするフック収容穴１６３とを有する。
【００６０】
流路凹部密封部材１３は、リング形状を有し、ゴム材料で形成されている。流路凹部密封部材１３は、リングベース１３０の水平面に形成された水平突起１３５及び１３６と、固定部材１２に収容されたときに、流路凹部密封部材１３が回転するのを防ぐために、該水平面と垂直な垂直突起１３２、１３３及び１３４とを有する。
【００６１】
また、流路凹部密封部材１３は、流入穴１２３を、固定部材１２の流路凹部１５３と連通させるように機能するスルーホール１３１を有する。
【００６２】
流出穴密封部材１４は、流路凹部密封部材１３のリング形状よりも小さいリング形状を有し、ゴム材料で形成されている。流出穴密封部材１４は、固定部材１２の内面に形成された取付け溝１２５に取付けられる。
【００６３】
固定ピン１７は、第１の外形１７１と、第１の外形１７１の断面とは異なる断面を有する第２の外形１７２とを有する。この形状は、固定ピン１７を一方向のみに挿入するという目的のために設けられている。この点において、締付け部材１１及び１６の固定ピン収容穴１１３及び１６４は、それぞれ、固定ピン１７の第１及び第２の外形１７１及び１７２に対応する楕円形状及び円形状を有する。第１の外形１７１は、第２の外形１７２よりも大きい断面積を有する。
【００６４】
その結果、固定ピン１７のヘッドを突くことにより、固定ピン１７を雄型締付け部材１１から雌型締付け部材１６へ圧入する場合、固定ピン１７は、固定ピン１７の第１及び第２の外形１７１及び１７２の断面積の変化により、所定距離を越えて進むことができない。
【００６５】
また、好ましくは、固定ピン１７は、圧入のためにわずかにテーパ状になっている。
【００６６】
雄型締付け部材１１を雌型締付け部材１６に対して締付けた状態で、固定ピン１７が、固定ピン収容穴１１３及び１６４を通って挿入される際、フック１１２の脚部間のギャップを一定に保つことができ、その結果、雄型締付け部材１１及び雌型締付け部材１６は、流路凹部密封部材１３及び流出穴密封部材１４の復原力により分離することが防止され、それにより、該製品の精度が向上する。
【００６７】
固定部材１２は、上記液剤のためのインレット１２１及びアウトレット１２２を有する。固定部材１２には、調節部材１５の最初の位置及び最後の位置を規定するために、調節部材１５のラッチングピース１５１が係止するストッパ１２７が設けられている。
【００６８】
図２は、図１に示され、かつ上記構成要素を組立てる順番に配列された該構成要素を示す平面図であり、フック１１２がその上に形成された雄型締付け部材１１が示されている。
【００６９】
図２には示されていないが、固定ピン収容穴１１３及び１６４は、それぞれ、雄型締付け部材１１及び雌型締付け部材１６に形成されているように図２に示されている。
【００７０】
図３及び図４は、固定部材１２を示す平面図及び前面図である。
【００７１】
固定部材１２は、ディスク形状を有し、片手で容易に握れるように、その外面に形成された丸みのある形状を有する。
【００７２】
固定部材１２において、インレット１２１には、パック２０から液剤が供給され、アウトレット１２２は、該液剤を該アウトレットを介してニードル２２へ供給できるようにする。インレット１２１及びアウトレット１２２は、同一平面に形成され、かつ固定部材１２上で互いに一列になっている。
【００７３】
固定部材１２は、流路凹部密封部材１３を取付けるために、調節部材１５と接触することになる面上に形成されたシートと、該シート内の流出穴１２６と、流出穴密封部材１４を取付けるための流出穴１２６内の流出穴密封部材取付け溝１２５とを有し、該シート、流出穴１２６及び取付け溝１２５は、それぞれ、固定部材１２上の同心円として形成され、また、インレット１２１と連通する流入穴１２３は、流路凹部密封部材１３のスルーホール１３１と一致している。
【００７４】
水平突起１３５及び１３６は、水平突起箇所１２４４及び１２４５上に配置され、垂直突起１３２、１３３及び１３４は、それぞれ、垂直突起箇所１２４１、１２４２及び１２４３上に配置される。
【００７５】
ストッパ１２７は、調節部材１５のラッチングピース１５１に係止するように、固定部材１２のインレット１２１の下方部分に形成されている。
【００７６】
図４に示すように、インレット１２１は、液剤流入パイプ１２１１を介して流入穴１２３と連通しており、流出穴１２６は液剤放出パイプ１２２１を介してアウトレット１２２と連通している。
【００７７】
図５〜図７は、上記第１の実施形態による装置における調節部材１５の平面図、部分切取り斜視図及び断面図である。
【００７８】
図５に示すように、調節部材１５は、実質的にディスク形状を有し、ラッチングピース１５１、流路凹部１５３、凹部内突起１５４、突起１５５、流出穴密封部材突起１５６及び挿入穴１５７が設けられている。調節部材１５は、調節部材１５を容易に握れるように、丸みのある外周面を有する。
【００７９】
ラッチングピース１５１は、ラッチングピース１５１の最初の位置が、図５の線Ａ−Ａに配置されたストッパ１２７の左側にあり、位置決め片１５１の最終的な位置が、ストッパ１２７の右側になるように、固定部材１２のストッパ１２７に応じて位置決めされる。
【００８０】
流路凹部１５３は、円弧形状を有し、その中心角は、３３０〜３５０度の範囲内にある。
【００８１】
図６に示すように、流路凹部１５３は、実質的に矩形状の断面と、液剤供給溝１５３１から離れる方向に徐々に小さくなる断面積とを有する。
【００８２】
流路凹部１５３の断面積の変化は、該流路凹部の幅または深さを変えることによってもたらされる。
【００８３】
流路凹部１５３は、該流路凹部が、固定部材１２の流入穴１２３と同じ距離だけ、調節部材１５１の中心軸から離れるように、該調節部材上に形成されている。そのため、調節部材１５が回転しても、流路凹部１５３は、流入穴１２３に接続されている。
【００８４】
当然、流路凹部密封部材１３のスルーホール１３１は、流路凹部１５３と流入穴１２３とを連通させるために、流路凹部１５３と流入穴１２３との間に配置される。
【００８５】
凹部内突起１５４は、流路凹部１５３の外側に形成されている。
【００８６】
凹部内突起１５４は、流入穴１２３を除いて、流路凹部１５３を流路凹部密封部材１３で密封する際に、上記締付け部材の圧縮力によって生じる変形により、ゴム等の柔軟な材料で形成された流路凹部密封部材１３が、流路凹部１５３内に押し込まれて、流路凹部１５３を狭めることまたは遮断することを防ぐように形成される。
【００８７】
すなわち、凹部内突起１５４は、流路凹部密封部材１３を、流路凹部１５３と反対方向に変形させるように機能し、それにより、流路凹部密封部材１３が、凹部内突起１５４の内側に変形するのを防ぐ。
【００８８】
従って、凹部内突起１５４は、流路凹部１５３の中心角と等しいかまたはより大きい中心角を有する。
【００８９】
一方、上記第１の実施形態においては、１つの凹部内突起１５４が設けられているが、流路凹部密封部材１３が凹部内突起１５４の内側に変形するのをより確実に防ぐためには、２つ以上の凹部内突起１５４を調節部材１５上に形成することが望ましい。
【００９０】
２つの凹部内突起１５４の場合、それらがそれぞれ、流路凹部１５３の内周面及び外周面上に配置すると、流路凹部密封部材１３が、凹部内突起１５４の内側に変形するのを防ぐのが容易である。
【００９１】
凹部内突起１５４は、流路凹部密封部材１３を支持するために、好ましくは、円弧形状ではなく、円形形状を有する。
【００９２】
流路凹部１５３の一端部に形成された液剤供給溝１５３１は、流路凹部１５３を通過した液剤を、固定部材１２の流出穴１２６へ供給するように機能する。
【００９３】
そのため、液剤供給溝１５３１は、流路凹部１５３と直角に下方へ形成される。
【００９４】
突起１５５は、液剤供給溝１５３１の内側の流路凹部１５３の面よりも高く形成されている。突起１５５は、取付け溝１２５上に取付けられた流出穴密封部材１４を押すように機能する。
【００９５】
また、突起１５５には、流出穴密封部材１４の密封を確実にするために、流出穴密封部材突起１５６が設けられている。
【００９６】
図６及び図７には、流路凹部１５３、凹部内突起１５４、突起１５５及び流出穴密封部材突起１５６の間の位置関係が明確に示されている。
【００９７】
図８は、上記第１の実施形態による、組立てた状態の上記装置を示す斜視図である。
【００９８】
該組立てられた装置においては、固定部材１２及び調節部材１５は、流路凹部密封部材１３及び流出穴密封部材１４によって密封された後に、雄型締付け部材１１及び雌型締付け部材１６によって固定され、および雄型締付け部材１１が、固定片１１１によって固定部材１２に固定されるため、調節部材１５のみを回転させることができる。
【００９９】
調節部材１５を初期位置に配置した状態で、指示マークが、上記装置上で上方方向に形成され、雌型締付け部材１６の外周面に切り欠きが形成され、それにより、調節部材１５の回転角度に従って、該調節装置によって調節される上記液剤の注入速度を容易に認識できるようになる。
【０１００】
上記液剤が高粘度を有する場合には、該液剤の流動性は低くなる。そのため、調節部材１５は、該液剤が円滑に流れることができるようにするために、従来の液剤よりも広く拡げなければならない。
【０１０１】
このため、上記調節装置の開き具合は、上記切り欠きを参照しながら、上記液剤の粘度に従って、調節部材１５を回転させることによって制御することができる。該液剤の粘度に応じて、多数の切り欠きを形成することがより好ましい。
【０１０２】
図９は、液剤が入っているパック２０及びニードル２２に接続された、上記第１の実施形態による装置を示す図である。
【０１０３】
このとき、パック２０と、該液剤用注入容量調節装置１０との間の距離、および注入容量調節装置１０とニードル２０との間の距離は、患者に応じて変えることができる。
【０１０４】
換言すれば、幼児の患者に対して上記調節装置を使用する場合には、該幼児が注入容量調節装置１０に触るのを防ぐために、注入容量調節装置１０とニードル２２との間の距離を拡げることが望ましく、また、該調節装置１０に対して移動ラックを使用する場合には、液剤パイプが、注入容量調節装置１０によって揺れるのを防ぐために、注入容量調節装置１０とニードル２２との間の距離を短くすることが望ましい。
【０１０５】
上記第１の実施形態による注入容量調節装置１０の動作について説明する。
【０１０６】
液剤は、インレット１２１→液剤流入パイプ１２１１→流出穴１２３→スルーホール１３１→流路凹部１５３→液剤供給溝１５３１→流出穴１２６→液剤放出パイプ１２２１→アウトレット１２２という順で流れる。
【０１０７】
その結果、上記液剤の注入量の調節を、該液剤が流路凹部１５３に沿って流れる流路長を変えることによって実現することができる。
【０１０８】
上述したように、流路凹部１５３は、液剤供給溝１５３１から離れる方向に、断面積が小さくなる。その結果として、流入穴１２３から流路凹部１５３へ供給される該液剤の量は、液剤供給溝１５３１から離れる方向に少なくなり、かつ液剤供給溝１５３１に向かう方向に増加するため、該液剤の供給量を調節することができる。
【０１０９】
図１０に示すように、調節部材１５が、初期位置に配置されている場合には、上記液剤は、実質的に、流路凹部１５３を通過することなく、流入穴１２３から液剤供給溝１５３１を通って直接、流出穴１２６へ流れるため、アウトレット１２２を流れる該液剤の流出量が最大化される。
【０１１０】
図１１に示すように、調節部材１５が、流入穴１２３を最終的な位置に配置できるように操作された場合には、上記液剤は、最小限の断面積を有する流路凹部１５３の一部を通って流出するため、アウトレット１２２を流れる該液剤の流出量が最大化される。
【０１１１】
図１２に示すように、調節部材１５が、流入穴１２３が流路凹部１５３に配置されるのを防ぐように操作された場合には、流路凹部１５３が流路凹部密封部材１３によって遮断されるため、該液剤は、アウトレット１２２を通って流れない。
【０１１２】
上記第１の実施形態による調節装置１５を操作する場合、調節部材１５は、該装置を単に片手で握った状態で、親指によって調節することができる。
【０１１３】
しかし、調節部材１５は、固定部材１２のサイズと同じサイズを有するため、流路凹部１５３を回転させるのは難しく、また、上記装置を握ることは不利である可能性がある。
【０１１４】
上記第１の実施形態の変更例を、図１３及び図１４に第２の実施形態として示し、また、図１５及び図１６に第３の実施形態として示す。
【０１１５】
図１３は、第２の実施形態による注入容量調節装置の構成要素を示す分解斜視図であり、図１４は、該第２の実施形態の組み立てられた装置を示す斜視図である。
【０１１６】
上記第２の実施形態による装置のほとんどの構成要素は、該第２の実施形態の装置が、丸みのある外周面を有する固定部材１２の代わりに、円滑な外周面を有する固定部材１８と、固定部材１８に取外し可能に取付けられたハンドル１９とを備えることを除いて、上記第１の実施形態による装置のものと同じである。
【０１１７】
その結果、上記第２の実施形態の装置は、ハンドル１９を手で握った状態で、１本の指を用いて、調節部材１５の丸みのある外周面１５２を回転させることによって調節することができるため、該第２の実施形態の注入容量調節装置は、上記第１の実施形態と比較して、ユーザの利便性をさらに高める。
【０１１８】
また、ハンドル１９が固定部材１８から分離されている場合には、調節部材１５の勝手な動作を禁止することができ、このことは、患者による上記液剤の注入量の勝手な調節の防止を可能にし、該液剤の安定した注入をもたらす。
【０１１９】
図１５は、上記第３の実施形態による注入容量調節装置の構成要素を示す分解斜視図であり、図１６は、該第３の実施形態の組み立てられた装置を示す斜視図である。
【０１２０】
上記第３の実施形態によれば、上記注入容量調節装置は、上記第１の実施形態による注入容量調節装置の固定部材１２と雄型締付け部材１１とを結合することによって構成された第１の固定部材３１と、第１の固定部材３１が第２の固定部材３３と結合されたときに、第１の固定部材３１と第２の固定部材３３とが、容易に握れる細長いケーシングを構成するような、該第１の実施形態による注入容量調節装置の雌型締付け部材１６に相当する第２の固定部材３３とを備える。
【０１２１】
また、第１の実施形態の調節部材１５、流路凹部密封部材１３及び流出穴密封部材１４に相当する、調節部材３２、流路凹部密封部材３４及び流出穴密封部材３５は、第１の固定部材３１と第２の固定部材３３との間に配置されている。
【０１２２】
調節部材３２は、調節部材３２を手で回転させることができるように、該ケーシングからわずかに突出している。さらに、上記第２の実施形態によれば、指示マークが調節部材３２の側面に形成されているため、調節部材３２の回転の度合いに従って、該液剤の量を正確に調節することが可能である。別法として、同じ目的で、指示ウィンドウ３３２を第２の固定部材３３に設けた状態で、指示マークを調節部材３２の平坦面に形成することができる。
【０１２３】
第１の固定部材３１には、上記液剤のためのインレット３１１及びアウトレット３１２が設けられている。
【０１２４】
参照数字３３１は、第２の固定部材３３に形成されたフック挿入パイプを指し示す。上記第１の実施形態と同様に、フック（図示せず）は、第１の固定部材３１に設けられている。
【０１２５】
第３の実施形態による注入容量調節装置の他の構成要素は、上記第１の注入容量調節装置のものと同じである。
【０１２６】
この構造の場合、上記第３の注入容量調節装置は、上記第１の実施形態よりもより容易に片手で握られ、それにより、ユーザの便宜性がさらに向上する。
【０１２７】
図１７〜図２２は、第４及び第５の実施形態による、液剤用注入容量調節装置を示す図であり、該装置の各々はさらに、どの位置でも調節部材を強制的に停止させる固定機構を備え、それにより、製品の信頼性が高まる。
【０１２８】
図１７及び図１８は、上記第４の実施形態による注入容量調節装置を示し、該固定機構は、調節部材４０に向かって締付け部材５０上に形成された円筒形スプライン５４と、スプライン５４に係合して、調節部材４０の回転を制限するために、調節部材４０の側面に形成された固定ボルト穴４２を通る固定ボルト４４とを備える。
【０１２９】
一方、上記第４の実施形態による注入容量調節装置の調節部材４０及び雌型締付け部材５０の他の構造は、上記第１の実施形態のものと同様である。
【０１３０】
スプライン５４の高さは、調節部材４０の内面に干渉しないように設計されている。
【０１３１】
スプライン５４は、締付け部材プレート５５の直径よりも小さいが、フック挿入管５１の直径よりは大きい直径を有していなければならない。
【０１３２】
スプライン５４は、実質的に平歯車形状を有し、その各ねじ山は、好ましくは、固定ボルト４４との容易な係合を可能にするために、三角形状断面を有する。
【０１３３】
スプライン５４に接触することになる固定ボルト４４の一端部は、固定ボルト４４の該端部が、スプライン５４に係合して、調節部材４０を固定するように、先のとがった形状を有している。
【０１３４】
また、固定ボルト４４は、ねじ４７と、レンチ溝がその上に形成された固定ボルトヘッド４６とを備える。
【０１３５】
当然、図面には示されていないが、固定ボルト穴４２には、固定ボルト４４上に形成されたねじ４７に係合する雌ねじ山が形成されている。
【０１３６】
従って、調節部材４０を固定するために、レンチ（図示せず）が、固定ボルトヘッド４６のレンチ溝４５に対して締め付けられ、回転されて、その結果、固定ボルト４４がスプライン５４の溝に最後までねじ込まれるまで、固定ボルト４４の先のとがった端部がスプライン５４の方へ進んでいく。
【０１３７】
一方、調節部材４０を解放するために、上記レンチ（図示せず）が固定ボルトヘッド４６のレンチ溝４５に対して締め付けられ、回転されて、その結果、固定ボルト４４がスプライン５４の溝から離れるまで、固定ボルト４４の先のとがった端部がスプライン５４から引き出される。
【０１３８】
図１９〜図２２は、第５の実施形態による注入容量調節装置を示し、該固定機構は、調節部材６０の雌型締付け部材１６に対向する面から突出したリング状スプライン６４と、スプライン６４に係合して、調節部材６０の回転を制限する、雌型締付け部材７０に形成された固定ボルト穴８１を通る固定ボルト７６とを備える。
【０１３９】
上記第５の実施形態の注入容量調節装置の調節部材６０及び雌型締付け部材７０の他の構造は、上記第１の実施形態のものと同じである。
【０１４０】
スプライン６４の高さは、雌型締付け部材７０に干渉しないように設計されている。
【０１４１】
好ましくは、スプライン６４は、固定ボルト７６との接触に有利な広い面積を有する。
【０１４２】
スプライン６４は、円錐角が略０度の実質的なかさ歯車形状を有し、該歯車のねじ山は、固定ボルト７６との容易な係合を可能にするために、三角形状の断面を有する。
【０１４３】
スプライン６４に接触することになる固定ボルト７６の一端部は、平坦形状を有する。
【０１４４】
また、固定ボルト７６は、ねじ８０と、レンチ溝７８がその上に形成された固定ボルトヘッド７９とを備える。
【０１４５】
当然、図面には示されていないが、固定ボルト穴８１には、固定ボルト７６上に形成されたねじ８０に係合することができる雌ねじ山が形成されている。
【０１４６】
また、上記固定機構はさらに、固定ボルト穴８１の周りに備え付けられ、かつスプライン６４に係合することができ、または、該スプラインから解放することができる突起を有する板ばね７５を備える。
【０１４７】
従って、調節部材６０を固定するためには、上記レンチ（図示せず）が、固定ボルトヘッド７９のレンチ溝７８に対して締め付けられ、回転されて、その結果、固定ボルト９６がスプライン６４の溝にねじ込まれるまで、固定ボルト９６の端部は、板ばね７５の上記突起をスプライン５４の方へ進めることができるように、板ばね７５を押し込む。
【０１４８】
一方、調節部材６０を解放するために、上記レンチ（図示せず）は、固定ボルトヘッド７９のレンチ溝７８に対して締め付けられ、回転されて、その結果、固定ボルト７９がスプライン５４の溝から離れるまで、固定ボルト７９の鋭い端部がスプライン６４から引き出されると共に、板ばね７５は、板ばね７５の該突起をスプライン６４から引き出すことができるように、固定ボルト７９まで、その復原力によって、スプライン６４と反対方向に動く。
【０１４９】
本発明の好ましい実施形態を例示のために開示してきたが、当業者は、様々な変更、追加及び置換が、添付クレームに開示されているような本発明の範囲及び趣旨から逸脱することなく可能であることを正しく認識するであろう。
【産業上の利用可能性】
【０１５０】
本発明は、一般産業及び医療産業において、流量を制御するバルブに適用できる。
【図面の簡単な説明】
【０１５１】
【図１】本発明の第１の実施形態による、液剤用注入容量調節装置の構成要素を示す分解斜視図である。
【図２】本発明の第１の実施形態による装置の構成要素を示す平面図である。
【図３】本発明の第１の実施形態による装置の固定部材を示す平面図である。
【図４】本発明の第１の実施形態による装置の固定部材を示す前面図である。
【図５】本発明の第１の実施形態による装置の固定部材を示す平面図である。
【図６】本発明の第１の実施形態による装置の調節部材を示す部分切取り斜視図である。
【図７】本発明の第１の実施形態による装置の調節部材を示す前面図である。
【図８】本発明の第１の実施形態に従って組立てられた状態の装置を示す斜視図である。
【図９】本発明の第１の実施形態による、ホースに適用された装置を示す図である。
【図１０】本発明の第１の実施形態による装置の動作を示す第１の説明図である。
【図１１】本発明の第１の実施形態による装置の動作を示す第２の説明図である。
【図１２】本発明の第１の実施形態による装置の動作を示す第３の説明図である。
【図１３】本発明の第２の実施形態による、液剤用注入容量調節装置の構成要素を示す分解斜視図である。
【図１４】本発明の第２の実施形態に従って組立てられた状態の装置を示す斜視図である。
【図１５】本発明の第３の実施形態による、液剤用注入容量調節装置の構成要素を示す分解斜視図である。
【図１６】本発明の第３の実施形態に従って組立てられた状態の装置を示す斜視図である。
【図１７】本発明の第４の実施形態による、液剤用注入容量調節装置の構成要素を示す分解斜視図である。
【図１８】本発明の第４の実施形態による装置の調節部材及び雌型締付け部材を示す斜視図である。
【図１９】本発明の第５の実施形態による、液剤用注入容量調節装置の構成要素を示す分解斜視図である。
【図２０】本発明の第５の実施形態による、装置の構成要素を示す平面図である。
【図２１】上部から見た場合の、本発明の第５の実施形態による、装置の調節部材及び雌型締付け部材を示す斜視図である。
【図２２】下部から見た場合の、本発明の第５の実施形態による、装置の調節部材及び雌型締付け部材を示す斜視図である。
【図１】
2008506449.tif 000003
【図２】
2008506449.tif 000004
【図３】
2008506449.tif 000005
【図４】
2008506449.tif 000006
【図５】
2008506449.tif 000007
【図６】
2008506449.tif 000008
【図７】
2008506449.tif 000009
【図８】
2008506449.tif 000010
【図９】
2008506449.tif 000011
【図１０】
2008506449.tif 000012
【図１１】
2008506449.tif 000013
【図１２】
2008506449.tif 000014
【図１３】
2008506449.tif 000015
【図１４】
2008506449.tif 000016
【図１５】
2008506449.tif 000017
【図１６】
2008506449.tif 000018
【図１７】
2008506449.tif 000019
【図１８】
2008506449.tif 000020
【図１９】
2008506449.tif 000021
【図２０】
2008506449.tif 000022
【図２１】
2008506449.tif 000023
【図２２】
2008506449.tif 000024
【国際調査報告】
2008506449.tif 000025
2008506449.tif 000026